(57)【要約】      （修正有）【課題】配送物に貼付する配送伝票の各パーツを剥離紙より損傷なく確実に分離させ、その構造上で分離対象のパーツを分離し易くする配送伝票を提供する。【解決手段】お届け票２１、配送票２２より構成される配送票に切取ミシン目線２５を介して配送控２３が連設された上基材１２と下基材１３とが重ね合わされるもので、重ね合わせ面にお届け票２１を貼着させる粘着層３１Ａ、配達票２２及び配送控２３と剥離可能に接着する疑似接着層３２Ａ，３２Ｂが設けられ、下基材１３には重ね合わせ時の切取ミシン目線２５の形成位置より配送控２３側にずらせた位置に切込線２６が形成される。下基材１３の裏面全面には粘着層３１Ｂが設けられ、当該下基材１３の裏面と重ね合わされる台紙１４の重ね合わせ面には下基材１３の切込線２６を境に少なくとも配送票側に剥離層３３が形成される構成とする。【選択図】図１
2015066815.tif 000002
【特許請求の範囲】
【請求項１】
配送流通上で配送物に貼付される配送票と切取ミシン目線を介して配送時に分離される控え票とが連設された上基材と、
前記上基材と重ね合わされるもので、その上基材との重ね合わせ面に当該上基材の配送票の一部を貼着させる第１貼着層、及び、当該配送票の他部及び前記控え票と剥離可能に貼着する疑似接着層が設けられ、重ね合わせ時の前記切取ミシン目線の形成位置より前記控え票側にずらせた位置に切込線が形成され、裏面全面に第２貼着層が設けられる下基材と、
前記下基材の裏面と重ね合わされるもので、その下基材との重ね合わせ面で、前記下基材の切込線を境に少なくとも配送票側に剥離層を備える台紙と、
を有することを特徴とする配送伝票。
【請求項２】
請求項１記載の配送伝票であって、前記上基材と前記下基材の重ね合わせ面において、当該上基材の切取ミシン目線と当該下基材の切込線とで挟まれる領域を非貼着領域とすることを特徴とする配送伝票。
【発明の詳細な説明】
【技術分野】
【０００１】
本発明は、基材を３層構造として部分的に再剥離可能に貼着させた配送伝票に関する。
【背景技術】
【０００２】
近年、配送物の配送にあたって、例えばお届け票、配達票、配送控の３パーツの票が連接された配送票が使用されている。この配送票は、お届け票は配送物に剥離不能に貼付され、配送控は発送元で分離して控えとして保持し、配達票は配送後に分離して配送者が持ち帰るものとなる。このような配送票は、配送物に貼付するにあたり、貼付する配送伝票を剥離紙より剥離する際に配送控部分を剥離しやすくすることが望まれると共に、配達票より配送控を分離するときにおいても分離し易いことが望まれる。
【０００３】
上記のような配送票を含む配送伝票の構造として、特許文献１に記載されているようなシートが知られている。特許文献１のシートは、基紙の裏面では粘着剤層を介して剥離紙が存在し、また、基紙の表面には上紙が配置され、上紙が相互に分離可能な貼付票、配送票（狭義の配送票）及び発店控からなり、基紙の表面側全面に第２粘着剤層を存在させ、貼付票の裏面側にこの第２粘着剤層によって基紙に直接貼付けられるとともに、配送票及び発店控の裏面に剥離層を存在させてこれらを剥離可能とした構造として知られている。このようなシートは、剥離紙より基紙及び上紙を剥離して配送物に貼付し、配送後に配送票及び発店控をそれぞれ剥離させるというものである。
【０００４】
ところで、配送時に配送物に貼付される上記のような配送票においては、特許文献１の構造であると、配送物への貼付後に発店控を基紙より分離させると分離後に基紙の当該発店控があった部分が残ったまま受取人に配達することとなり、体裁上好ましくない。そのため、貼付後の配送票上の発店控の下層には何も存在させない形態の配送伝票も知られている。
【０００５】
ここで、図７に、従来の配送伝票の説明図を示す。図７（Ａ）において、配送伝票１０１は、基紙１０３の裏面では粘着剤層１０６を介して一部剥離層が形成されていない剥離紙１０４が存在し、また、基紙１０３の表面には上紙１０２が配置される。上紙１０２は、切込線１１４および切取ミシン目線１１５により相互に分離可能な貼付票１１１、配送票（狭義の配送票）１１２及び発店控１１３からなる。基紙１０３の表面側全面に粘着剤層１０５を存在させ、貼付票１１１の裏面側にこの粘着剤層１０５によって基紙１０３に直接貼付けられるとともに、配送票１１２及び発店控１１３の裏面に剥離層を存在させて当該粘着剤層１０５より剥離可能とさせている。
【０００６】
また、基紙１０３には、上記切取ミシン目線１１５と垂直方向で同位置に切込線１１６が形成されている。すなわち、基紙１０３には、上記発店控１１３に対応する領域を備えることとなる。この領域に対応する剥離紙１０４の領域には剥離剤が形成されておらず、粘着剤層１０６によって直接貼着されている状態となる。
【０００７】
このような配送伝票１０１において、貼付票１１１側より剥離紙１０４を剥離していくと、理想的には、図７（Ｂ）に示すように、基紙１０３に形成された切込線１１６で一部が剥離紙１０４側に残存して発店控１１３が基紙１０３より分離された状態とさせるものである。
【先行技術文献】
【特許文献】
【０００８】
【特許文献１】特開２０１０−１３１８６９号公報
【発明の概要】
【発明が解決しようとする課題】
【０００９】
しかしながら、図７（Ａ）、（Ｂ）に示すように、上紙１０２の発店控１１３を連接している切取ミシン目線１１５と、基紙１０３に形成された切込線１１６とは同位置にあることから、剥離紙１０４を剥離する際、発店控１３の切取ミシン目線１１５やその近傍で破れを生じ易いという問題がある。
【００１０】
そこで、本発明は上記課題に鑑みなされたもので、配送物に貼付する配送伝票の各パーツを剥離紙より損傷なく確実に分離させ、その構造上で分離対象のパーツを分離し易くする配送伝票を提供することを目的とする。
【課題を解決するための手段】
【００１１】
上記課題を解決するために、請求項１の発明では、配送流通上で配送物に貼付される配送票と切取ミシン目線を介して配送時に分離される控え票とが連設された上基材と、前記上基材と重ね合わされるもので、その上基材との重ね合わせ面に当該上基材の配送票の一部を粘着させる第１粘着層、及び、当該配送票の他部及び前記控え票と剥離可能に粘着する疑似接着層が設けられ、重ね合わせ時の前記切取ミシン目線の形成位置より前記控え票側にずらせた位置に切込線が形成され、裏面全面に第２粘着層が設けられる下基材と、前記下基材の裏面と重ね合わされるもので、その下基材との重ね合わせ面で、前記下基材の切込線を境に少なくとも配送票側に剥離層を備える台紙と、を有する構成とする。
【００１２】
請求項２の発明では、前記上基材と前記下基材の重ね合わせ面において、当該上基材の切取ミシン目線と当該下基材の切込線とで挟まれる領域を非貼着領域とする構成である。
【発明の効果】
【００１３】
請求項１の発明によれば、上基材に形成された配送票から控え票を分離するための切取ミシン目線に対し、下基材に形成される切込線を当該切取ミシン目線の形成位置より控え票側にずらせた位置に形成する構成とすることにより、上基材を下基材と共に台紙より剥離する過程で切取ミシン目線部分での剥離と切込線での剥離が同時にならずに下基材の控え票側を台紙側に残存させて剥離されることとなり、当該切取ミシン目線部分に損傷を与えることなく確実に分離することができるものである。
【００１４】
請求項２の発明によれば、上基材と下基材の重ね合わせ面で、当該上基材の切取ミシン目線と当該下基材の切込線とで挟まれる領域を非貼着領域とする構成とすることにより、配送物に控え票が一体となった配送票を貼付した後、切取ミシン目線部分をも含めて控え票が何れにも貼着状態でなくなって容易に切り取って分離することができるものである。
【図面の簡単な説明】
【００１５】
【図１】本発明に係る配送伝票の第１実施形態の構成図である。
【図２】図１の配送伝票の使用形態の説明図（１）である。
【図３】図１の配送伝票の使用形態の説明図（２）である。
【図４】本発明に係る配送伝票の第２実施形態の構成図である。
【図５】図４の配送伝票の使用形態の説明図（１）である。
【図６】図４の配送伝票の使用形態の説明図（２）である。
【図７】従来の配送伝票の説明図である。
【発明を実施するための形態】
【００１６】
以下、本発明の実施形態を図により説明する。
図１に、本発明に係る配送伝票の第１実施形態の構成図を示す。図１（Ａ）、（Ｂ）において、配送伝票１１は、上基材１２、下基材１３及び台紙１４の３層構造で構成され、上基材１２と下基材１３との間には上基材貼着層１５が介在され、下基材１３と台紙１４との間には台紙貼着層１６が介在される。
【００１７】
上記上基材１２は、例えば上紙等が使用されるもので、お届け票２１、配達票２２及び控え票である配送控２３により構成され、当該お届け票２１及び配達票２２が配送票となる。また、上基材１２が下基材１３と重ね合わされて貼着されたときにお届け票２１と配達票２２との間に切込線２４が形成される。そして、配達票２２に配送控２３が切取ミシン目線２５を介して連設される。すなわち、お届け票２１及び配達票２２の配送票が配送流通上で配送物に貼付されるものとなり、連設された配送控２３は発送元で配送時に切取ミシン目線２５より分離されるものとなる。
【００１８】
上基材１２と下基材１３とは重ね合わせ貼着される。これらの重ね合わせ面では、配送票の一部となるお届け票２１の裏面に第１粘着層としての粘着層３１Ａが設けられ、配送票の他部となる配達票２２の裏面に剥離後再貼付性の無い疑似接着層３２Ａが設けられると共に、配送控２３の裏面に疑似接着層３２Ｂが設けられる。当該粘着層３１Ａ及び疑似接着層３２Ａ，３２Ｂが上基材貼着層１５となる。なお、お届け票２１は下基材１３に対して剥離させるものではないことから、剥離不能な強接着の粘着剤が使用されるが、剥離させないものであっても作製工程上から疑似接着層としてもよいものである。
【００１９】
下基材１３は、例えば上紙等が使用されるもので、上基材１２との重ね合わせ時の切取ミシン目線２５の形成位置より配送控２３側にずらせた位置に切込線２６が形成される。この切込線２６を境に配送票（お届け票２１、配達票２２）側を第１下基材１３Ａとし、配送控２３側を第２下基材１３Ｂとする。そして、下基材１３の裏面全面には第２粘着層として粘着剤層３１Ｂが設けられる。
【００２０】
下基材１３と台紙１４とは重ね合わせ貼着される。台紙１４は、例えば上紙等が使用されるもので、下基材１３との重ね合わせ面では、台紙１４上の上記第１下基材１３Ａに対応する領域に剥離層３３が設けられ、上記第２下基材１３Ｂに対応する領域には何も形成されていない。すなわち、剥離層３３は、下基材１３の切込線２６を境に配送票側にのみ備えることとなる。また、台紙１４上で何も形成されていない領域では第２下基材１３Ｂの裏面に設けられた粘着層３１Ｂにより剥離不能に貼着されるものである。当該粘着層３１Ｂ及び剥離層３３が台紙貼着層１６となる。なお、この第２下基材１３Ｂ裏面に対向する台紙１４上に剥離層３３が形成されていても、切込線２６により第１下基材１３Ａと第２下基材１３Ｂが分離し、第２下基材１３Ｂが台紙１４側に残る為に問題はない。
【００２１】
そこで、図２及び図３に、図１の配送伝票の使用形態の説明図を示す。まず、図２（Ａ）において、配送伝票１１は、上基材１２を構成するお届け票２１、配達票２２及び配送控２３の記入欄にプリンタで日付、送り主、お届け先、品名などの情報を一括で形成する。そして、図２（Ｂ）に示すように、お届け票２１側の一隅部から上基材１２及び下基材１３（第１下基材１３Ａ）を共に台紙１４より剥離していく。このとき、下基材１３の裏面のお届け票２１及び配達票２２に対応する領域には粘着層３１Ｂが設けられ、対応する台紙１４上には剥離層３３が設けられていることから容易に剥離されていく。
【００２２】
上記剥離は、切取ミシン目線２５に対応する部分を過ぎて、下基材１３に形成された切込線２６に達したとき、第２下基材１３Ｂの裏面が台紙１４上に貼着されており、また、第２下基材１３Ｂの上面と上基材１２の配送控２３の裏面との間に剥離可能な疑似接着層３２Ｂが設けられていることから、第２下基材１３Ｂを台紙１４側に残したまま疑似接着層３２Ｂで上基材１２の配送控２３部分が第２下基材１３Ｂより剥離される。
【００２３】
すなわち、図３（Ａ）、（Ｂ）に示すように、台紙１４より、お届け票２１、配達票２２及び配送控２３で構成する上基材１２と下基材１３の第１下基材１３Ａが剥離されるもので、配送控２３はその下層に下基材を有しない単一層の状態の配送票４１となるものである。
【００２４】
台紙１４より剥離した上記配送票４１の使用形態は、後述の図５及び図６に示す使用形態と同様であり、ここでは簡単に説明する。当該配送票４１は配送物に貼付され、発送元まで運ばれる。このときの貼付は、下基材（第１下基材１３Ａ）の裏面に設けられている粘着層３１Ｂによって行われ、配送控２３には下基材や粘着層が存在せず、配送物上には貼着されない状態となる。
【００２５】
発送元では、当該配送票４１が貼付された配送物を配送流通上に置く直前に、発送確認として配送控２３を配達票２２より切取ミシン目線２５で切り取って保管するものであり、配送流通上では受取人に届くまでお届け票２１及び配達票２２のみが配送物に貼付された状態となるものである。
【００２６】
このように、上基材１２に形成された切取ミシン目線２５と下基材１３に形成される切込線２６とをずらせた位置とすることにより、上基材１２を下基材１３と共に台紙１４より剥離する過程で切取ミシン目線２５部分での剥離と切込線２６での剥離が同時にならずに下基材１３の配送控２３側の第２下基材１３Ｂを台紙１４側に残存させて剥離させることとなることから、当該切取ミシン目線２５部分に破れなどの損傷を与えることなく配送票４１を台紙１４より確実に剥離して分離することができるものである。
【００２７】
次に、図４に、本発明に係る配送伝票の第２実施形態の構成図を示す。図４（Ａ）、（Ｂ）に示す配送伝票１１は、お届け票２１、配達票２２及び配送控２３で構成する上基材１２と下基材１３の重ね合わせ面であって、当該上基材１２に形成された切取ミシン目線２５と、下基材１３に形成された切込線２６とで挟まれる領域を、貼着系の部材を設けない非貼着領域３２Ｃとしたものである。他の構成は図１と同様であり説明を省略する。
【００２８】
そこで、図５及び図６に、図４の配送伝票の使用形態の説明図を示す。図４に示す配送伝票１１は、上述の図２及び図３と同様に、お届け票２１、配達票２２及び配送控２３の記入欄にプリンタで配送情報を形成した後、台紙１４よりお届け票２１、配達票２２及び配送控２３で構成する上基材１２及び下基材１３の第１下基材１３Ａを一緒に剥離することで配送票４１とする。
【００２９】
そして、図５（Ａ）に示すように、配送票４１を配送物４２上に貼付する。この場合、下基材（第１下基材１３Ａ）の裏面に設けられている粘着層３１Ｂによって貼付されもので、配送控２３には下基材や貼着系の部材が存在せず、配送物上には貼着されない状態となる。当該配送票４１が貼付された配送物４２は発送元まで運ばれる。
【００３０】
発送元では、図５（Ｂ）に示すように、配送票４１が貼付された配送物を配送流通上に置く直前に、発送確認として配送控２３を配達票２２より切取ミシン目線２５で切り取って保管する。この配送控２３の切り取りに際しては、配送控２３の裏面の切取ミシン目線２５の近傍に貼着系の部材が設けられていない非貼着領域３２Ｃが存在して何れにも貼着されていないことから、配送控２３の作業者による切取ミシン目線２５での切り取りが容易かつスムーズに行われるものである。
【００３１】
配送控２３が切り取られた配送票４１は、配送流通を経て受取人に届くまでお届け票２１及び配達票２２のみが配送物４２に貼付された状態となる。そして、配送控２３が切り取られた配送票４１を貼付した配送物４２が受取人に届けられると、図６（Ａ）〜（Ｃ）に示すように、配達票２２の受領印欄への受取人による押印の後に、切込線２４より配達票２２が剥離される（配達票２２の一の隅部に剥離しやすいように切欠を形成してもよい）。すなわち、配達票２２は下基材１３（第１下基材１３Ａ）とは疑似接着層３２Ａで剥離可能に疑似接着されており、受領印取得後に配達者によって剥離されて持ち帰られることとなるものである。
【００３２】
このように、配送伝票１１において配送控２３の切取ミシン目線２５の近傍で非貼着領域３２Ｃを形成することで、台紙１４より剥離した配送票４１では、切取ミシン目線２５部分を含めて配送控２３を何れにも貼着状態とさせない状態とさせていることから、当該配送控２３を容易に切り取って分離することができるものである。
【産業上の利用可能性】
【００３３】
本発明の配送伝票は、基材を３層構造として部分的に再剥離可能に貼着させた多層シートに利用可能である。
【符号の説明】
【００３４】
１１            配送伝票
１２            上基材
１３            下基材
１４            台紙
１５            上基材貼着層
１６            台紙貼着層
２１            お届け票
２２            配達票
２３            配達控
２４，２６      切込線
２５            切取ミシン目線
３１            粘着層
３２Ａ，３２Ｂ  疑似接着層
３２Ｃ          非貼着領域
３３            剥離層
４１            配送票
４２            配送物
【図１】
2015066815.tif 000003
【図２】
2015066815.tif 000004
【図３】
2015066815.tif 000005
【図４】
2015066815.tif 000006
【図５】
2015066815.tif 000007
【図６】
2015066815.tif 000008
【図７】
2015066815.tif 000009